(57)【要約】【課題】飲食機能部に飲食物が配された際に飲食機能部が回転することを防止する飲食用具を提供する。【解決手段】飲食物を飲食するための飲食機能部の軸３１が柄部５に回転自在に支持されてなる飲食用具において、飲食機能部は軸３１に設けられた機能部側ギア歯３２を備え、柄部５は機能部側ギア歯３２と噛合する柄部側ギア歯５１を備え、飲食機能部の軸３１は、柄部５が軸３１の廻りに回転した際に、ギア歯の噛合により柄部５の回転方向と反対側に回転する。【選択図】図４
2018130369.tif 000002
【特許請求の範囲】
【請求項１】
飲食物を飲食するための飲食機能部の軸が柄部に回転自在に支持されてなる飲食用具において、
前記飲食機能部は前記軸に設けられ機能部側ギア歯を備え、
前記柄部は前記機能部側ギア歯と噛合する柄部側ギア歯を備え、
前記飲食機能部の軸は、前記柄部が前記軸の廻りに回転した際に、ギア歯の噛合により当該柄部の回転方向と反対側に回転する
飲食用具。
【請求項２】
前記柄部は前記軸を収容する筐体を有し、
前記柄部側ギア歯は前記筐体に固定されている
請求項１に記載の飲食用具。
【請求項３】
前記飲食機能部は飲食物が配されるボウル部であり、
前記ボウル部は、当該ボウル部により掬われる飲食物の量が最大となる姿勢を維持するように、前記柄部に支持されている
請求項２に記載の飲食用具。
【請求項４】
前記ボウル部は前記姿勢を維持するための錘を有する
請求項３に記載の飲食用具。
【請求項５】
前記ボウル部の軸は前記筐体の中心軸に配されている
請求項４に記載の飲食用具。
【請求項６】
飲食物を飲食するための飲食機能部の軸が柄部に回転自在に支持されてなる飲食用具において、
前記飲食機能部は前記軸に設けられ機能部側ギア歯を備え、
前記柄部は前記機能部側ギア歯と噛合する柄部側ギア歯を備え、
前記飲食機能部又は前記柄部は、前記柄部の回転に伴って、前記機能部側ギア歯又は前記柄部側ギア歯を回転させる錘体を有する
飲食用具。
【発明の詳細な説明】
【技術分野】
【０００１】
本発明は、飲食物を飲食するための飲食機能部と、飲食する際に把持する柄部とを備える飲食用具に関するものである。
【背景技術】
【０００２】
飲食用具の一例であるスプーンが飲食時に広く利用されている。このスプーンにおいて、使用者が把持する柄部の角度に応じて飲食物が配されているボウル部が回転するようにしたものが提案されている（例えば特許文献１）。
特許文献１に記載のスプーンは、窪みが形成されたボウル部と、前記ボウル部を基端として一方向に延伸する柄部と、前記柄部の先端から前記柄部の延伸方向と異なる方向に向かって延伸する棒体と、前記棒体に固定された錘と、前記柄部と同じか前記柄部よりも短い長さの孔を有する把持部であって、当該把持部の孔内を前記柄部が回動し得るようにして前記柄部を覆う把持部とを具備している。そして、この構成により幼児がスプーンで掬った飲食物をこぼさずに口に運べるようにできると記載されている。
【先行技術文献】
【特許文献】
【０００３】
【特許文献１】特許第５６９００２２号
【発明の概要】
【発明が解決しようとする課題】
【０００４】
特許文献１に記載のスプーンでは、例えば掬われた飲食物がボウル部の端（ボウル部の中心軸から離れた位置）にあると、ボウル部が傾斜（回転）してしまうという問題がある。なお、ボウル部が傾斜すると、ボウル部内の飲食物がこぼれたり落下したりする。
本発明が解決しようとする課題は、飲食機能部に飲食物が偏って配された際に飲食機能部が回転することを防止する飲食用具を提供することにある。
【課題を解決するための手段】
【０００５】
本発明の一態様に係る飲食用具は、飲食物を飲食するための飲食機能部の軸が柄部に回転自在に支持されてなる飲食用具において、前記飲食機能部は前記軸に設けられた機能部側ギア歯を備え、前記柄部は前記機能部側ギア歯と噛合する柄部側ギア歯を備え、前記飲食機能部の軸は、前記柄部が前記軸の廻りに回転した際に、ギア歯の噛合により当該柄部の回転方向と反対側に回転する。
【発明の効果】
【０００６】
本発明によれば、機能部側ギア歯と柄部側ギア歯を備えているため、飲食機能部に飲食物が偏って配されても、飲食機能部の回転が規制される。
【図面の簡単な説明】
【０００７】
【図１】実施形態のスプーンの斜視図である。
【図２】実施形態のスプーンの縦断面図である。
【図３】実施形態のスプーンの横断面図である。
【図４】実施形態のスプーンの動作を説明する図である。
【図５】変形例１のスプーンの縦断面図である。
【図６】変形例２のスプーンの横断面図である。
【発明を実施するための形態】
【０００８】
＜概要＞
本発明の一態様に係る飲食用具は、飲食物を飲食するための飲食機能部の軸が柄部に回転自在に支持されてなる飲食用具において、前記飲食機能部は前記軸に設けられた機能部側ギア歯を備え、前記柄部は前記機能部側ギア歯と噛合する柄部側ギア歯を備え、前記飲食機能部の軸は、前記柄部が前記軸の廻りに回転した際に、ギア歯の噛合により当該柄部の回転方向と反対側に回転する。
別態様に係る飲食用具において、前記柄部は前記軸を収容する筐体を有し、前記柄部側ギア歯は前記筐体に固定されている。これにより意匠性を高めることができる。
別態様に係る飲食用具において、前記飲食機能部は飲食物が配されるボウル部であり、前記ボウル部は、当該ボウル部により掬われる飲食物の量が最大となる姿勢を維持するように、前記柄部に支持されている。これにより飲食物が液体状であっても、柄部の回転に伴ってボウル部から飲食物がこぼれるのを抑制できる。
別態様に係る飲食用具において、前記ボウル部は前記姿勢を維持するための錘を有する。これにより、柄部の回転に伴うボウル部の回転応答がよくなる。
別態様に係る飲食用具において、前記ボウル部の軸は前記筐体の中心軸に配されている。これにより、柄部の回転軸とボウル部の回転軸とが一致し、飲食時の柄部の回転とボウル部の回転とのずれを無くすることができる。
本発明の別態様に係る飲食用具は、飲食物を飲食するための飲食機能部の軸が柄部に回転自在に支持されてなる飲食用具において、前記飲食機能部は前記軸に設けられた機能部側ギア歯を備え、前記柄部は前記機能部側ギア歯と噛合する柄部側ギア歯を備え、前記飲食機能部又は前記柄部は、前記柄部の回転に伴って、前記機能部側ギア歯又は前記柄部側ギア歯を回転させる錘体を有する。
【０００９】
＜実施形態＞
飲食用具の一例に相当するスプーンの実施形態について図面を参照しながら詳細に説明する。
【００１０】
１．全体構成
主に図１及び図２を用いて説明する。
スプーン１はボウル部３と柄部５とを備える。柄部５は長尺状をしている。ここでの柄部５は中空棒状をし、その横断面は円環状をしている。ボウル部３は、飲食物を掬ったり、飲食物を載置したりする飲食機能を有し、飲食機能部の一例に相当する。
ボウル部３は軸３１を有し、当該軸３１が柄部５に対して回転自在に支持されている。なお、軸３１は回転自在であり、当該軸３１を回転軸３１とする。
ボウル部３は回転軸３１の回転方向に沿って歯切りされたボウル部側ギア歯３２を備える。柄部５はボウル部側ギア歯３２と噛合する柄部側ギア歯５１を備える。なお、ボウル部側ギア歯３２は本発明の飲食機能部側ギア歯の一例に相当する。また、ボウル部側ギア歯３２及び柄部側ギア歯５１は便宜上ピッチ円（円弧）で図面に示す。
ボウル部３の回転軸３１は、柄部５が回転軸３１の廻りに回転した際に、ボウル部側ギア歯３２と柄部側ギア歯５１との噛合により柄部５の回転方向と反対側に回転する。なお、柄部５の回転は、例えば、使用者の手が不自由な場合や幼児が食べ物を口に入れる場合に生じる。
以下、ボウル部３と柄部５について詳細に説明する。
【００１１】
２．各部
図２及び図３を用いて説明する。
なお、図３において、（ａ）は図２におけるＡ−Ａ断面を矢印方向から見た図であり、（ｂ）は図２におけるＢ−Ｂ断面を矢印方向から見た図であり、（ｃ）は図２におけるＣ−Ｃ断面を矢印方向から見た図である。
（１）ボウル部
ボウル部３は、図２に示すように、ボウル体３０と回転軸３１とを有する。ボウル体３０は、曲面状に凹入する楕円球面状をする本体部３３と、本体部３３の一端から延出する柱状の基部３４とを有する。回転軸３１は基部３４の一端から当該基部３４の延出方向と同じ方向に延伸する。
本体部３３の曲面は例えば楕円曲面の一部の曲面に似た形状をしている。ボウル体３０は回転軸３１と一体化されている。
【００１２】
回転軸３１には少なくとも１個以上のボウル部側ギア歯３２が設けられている。ここでは、ボウル部側ギア歯３２は回転軸３１の軸方向に間隔をおいて２個設けられている。
ボウル部側ギア歯３２の歯は回転軸３１と平行な方向に延伸し、回転軸３１の周方向に凹凸を繰り返す。つまり、ボウル部側ギア歯３２は平歯車のギア歯により構成され、平歯車の中心を回転軸３１が挿通する。平歯車をボウル部側平歯車とし、符号「３２」を用いる。なお、ボウル部側ギア歯３２と噛み合う柄部側ギア歯５１も平歯車のギア歯により構成され、当該平歯車を柄部側平歯車とし、符号「５１」を用いる。
【００１３】
回転軸３１は取付部材３５を介して柄部５の軸５２に取り付けられている。なお、軸５２は固定されており、当該軸５２を固定軸５２とする。回転軸３１は取付部材３５に固定され、取付部材３５が固定軸５２に回転自在に取り付けられている。これにより回転軸３１は固定軸５２の周りに回転可能（揺動可能）となる。
取付部材３５は、回転軸３１の軸方向から見たとき（図３の（ｃ）である。）、第１辺３６と第２辺３７とが直交状態で連結された「Ｔ」字状をしている。ここでは、第１辺３６に回転軸３１と固定軸５２とが取付けられている。ここでの回転軸３１と固定軸５２は、取付部材３５に取付けられた状態において、ボウル部側平歯車３２と柄部側平歯車５１とが噛み合う。
固定軸５２は第１辺３６の貫通孔３５ａを挿通する。固定軸５２における取付部材３５が取付けられる部分の横断面形状は円形状をし、取付部材３５の貫通孔３５ａは円形状をしている。これにより取付部材３５が固定軸５２に対して回転（揺動）可能となる。
第２辺３７は、取付部材３５が固定軸５２を通る上下方向に対して傾斜した際に第１辺３６が上下方向と平行となるように、錘として機能する。第１辺３６が上下方向と平行になる状態は、ボウル部３により掬われる飲食物の量が最大となる姿勢であり、ボウル体３０の周縁を含む面が水平となる状態である。なお、この水平となる状態を水平状態という。
なお、取付部材３５の第１辺３６は回転軸３１と固定軸５２とを取り付ける取付部でもあり、第２辺３７は錘部でもある。
【００１４】
（２）柄部
柄部５は柄部側平歯車５１と固定軸５２とを筐体５３内に備える。筐体５３の内部にはボウル体３０の基部３４（の一端側）や回転軸３１等も収容されている。
筐体５３は長尺状をしている。筐体５３は、筒部５４と、筒部５４の長手方向の一方端に設けられた第１蓋部５５と、筒部５４の長手方向の他方端に設けられた第２蓋部５６とを有する。
第１蓋部５５は、ボウル体３０が存在する側の蓋部であり、ボウル部３が固定軸５２に対して揺動可能とするための貫通孔５５ａを有する。なお、貫通孔５５ａは固定軸５２が存在する側と反対側に膨らむ円弧状をしている。
【００１５】
筒部５４は円形状の横断面形状を有する。筐体５３は固定軸５２を固定するための固定壁５７を筒部５４に１個又は複数個有している。ここでの固定壁５７は長手方向に間隔をおいて２個ある。
固定壁５７は筒部５４の長手方向と直交するように設けられている。固定壁５７は固定軸５２用の貫通孔５７ａを有している。ここでの固定軸５２は、固定壁５７を挿通する部分が多角形状（例えば四角形状である）の横断面形状をし、貫通孔５７ａの断面形状も固定軸５２に対応した多角形状（例えば四角形状である）をしている。固定壁５７は、回転軸３１が固定軸５２に対しては揺動可能とするための貫通孔５７ｂを有している。なお、貫通孔５７ｂは固定軸５２が存在する側と反対側に膨らむ円弧状をしている。
【００１６】
柄部側平歯車５１は固定軸５２の長手方向の両端側に固定されている。柄部側平歯車５１は固定軸５２における固定壁５７よりも筐体５３の両端側（外方側）に設けられている。取付部材３５は固定軸５２における固定壁５７よりも筐体５３の両端側と反対側（内方側）に設けられている。
筐体５３は、固定軸５２や回転軸３１を支持して収容できるように、複数の部材（例えば上下２個の部材）が組み合わされて構成されている。
【００１７】
３．作用
（１）通常時
スプーン１の通常の使用時ではボウル体３０が水平状態にある。この通常状態において、取付部材３５の第１辺３６は上下方向に延び、取付部材３５の第２辺３７は下部に位置する。ボウル部３の回転軸３１に設けられたボウル部側平歯車３２は、柄部５の固定軸５２に設けられた柄部側平歯車５１に噛み合っている。このため、取付部材３５の第２辺３７が下側にあり、柄部側平歯車５１が固定されている限り、ボウル部側平歯車３２は回転しない。
したがって、通常時において、ボウル部３のボウル体３０に飲食物が偏って載置された場合でも、ボウル部３の回転軸３１が回転（傾斜）するようなことはない。
【００１８】
（２）回転時
ボウル部３の回転（揺動）動作について図４を用いて説明する。なお、図４の（ａ）は図２におけるＢ−Ｂ断面を矢印方向から見た図であり、（ｂ）は図２におけるＣ−Ｃ断面を矢印方向から見た図である。このため、同図の（ａ）と（ｂ）とでは、見る方向が逆になるため、図中においてその回転方向は逆となる。
スプーン１の使用時に、例えば、図４の（ａ）に示すように、同図において筐体５３が時計廻りに回転した場合（図中の「Ａ」の矢印である。）、固定軸５２に取付部材３５を介して取り付けられた回転軸３１は筐体５３の回転方向である時計廻りに傾斜する（実際には、取付部材３５の第２辺３７の錘作用により、第１辺３６が上下方向に延びるようにその姿勢が維持される）。
この際、図４の（ｂ）に示すように、取付部材３５の第２辺３７の錘作用によって傾斜した（傾斜しようとした）取付部材３５の姿勢を戻そうとして同図において時計回りに回転（揺動）する（図中の「Ｂ」の矢印である。）。この揺動により、図４の（ａ）に示すように、回転軸３１に設けられたボウル部側平歯車３２が反時計廻りに回転する（図中の「Ｃ」の矢印である。）。
このように、筐体５３が図４の（ａ）に示すように時計回りに（図中の「Ａ」の矢印である。）傾斜しても、ボウル部３は反時計方向（図中の「Ｃ」である。）に回転して、ボウル部３（ボウル体３０）の水平状態は維持される。
【００１９】
＜変形例＞
以上、一実施形態に係るスプーン１を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００２０】
１．飲食用具
実施形態では飲食用具の一例としてスプーン１について説明している。しかしながら、本発明に係る飲食用具には、例えば、上述したスプーンの他、フォーク、スプーンの先端に切り込みが入った所謂フォークスプーン等が含まれる。なお、フォークの場合、飲食物を刺すフォーク部が本発明の飲食機能部に相当する。フォークスプーンの場合、飲食物が配されるボウル部が本発明の飲食機能部に相当する。
また、本発明に係る飲食用具には、例えば、コップ本体と、コップ本体を支持する支持体とを備えるコップも含まれる。この場合、コップ本体が本発明の飲食機能部に相当し、支持体が本発明の柄部に相当する。なお、コップ本体はコップ本体の深さ方向と直交する方向を回転軸として回転自在となるように支持体により支持されている。
実施形態で説明したスプーン１のボウル部３及び柄部５の構成は一例であり、本構成に限定されるものではない。例えば、ボウル部の深さや形状等は、飲食用具としての機能を有する限り、特に限定するものではない。また、実施形態ではボウル体３０と回転軸３１とは一体化されていたが、ボウル体と回転軸とを別体で構成して、着脱自在としてもよい。さらに、ボウル体を他の飲食機能部（例えばフォーク体）と交換可能としてもよい。
【００２１】
柄部５の筐体５３の形状は、円筒状であってもよいし、楕円筒状であってもよいし、多角筒状であってもよい。筐体は、全体が中空状であってもよいし、ボウル部側ギア歯や柄部側ギア歯等を収容する部分だけを中空状にしてもよい。
筐体の横断面形状は、長手方向に一定であってもよいし、長手方向に変化してもよい。例えば、長手方向の中央部分が細い又は太い筒状であってもよいし、ボウル部から離れるにしたがって細く又は太くなる筒状であってもよいし、ボウル部から離れるにしたがって細くなったり太くなったり（１回又は複数回）する筒状であってもよい。
実施形態の柄部５は中空状の筐体５３を備えていたが、柄部は、例えば板状体を備え、板状体の端部にボウル部を取り付ける取付部を有してもよい。ここでの取付部は、ボウル部を回転自在にし、柄部の回転に伴ってボウル部を逆回転させる機能を有している。取付部は例えば後述の変形例１の筐体１５３のボウル部側部分を利用できる。
【００２２】
２．ギア歯
（１）個数
実施形態のボウル部側ギア歯３２と柄部側ギア歯５１は、柄部５の長手方向に離れた２箇所に設けられていたが、例えば、１箇所であっても良いし、３箇所以上であってもよい。
ボウル部側ギア歯と柄部側ギア歯とが１箇所に設けられた例を変形例１として図５に示す。
変形例１に係るスプーン１０１の説明において、実施形態に係るスプーン１と同じ構成部分はその説明を省略する場合もある。
【００２３】
スプーン１０１はボウル部１０３と柄部１０５とを備える。ボウル部１０３はボウル体１３０と回転軸１３１とボウル部側ギア歯の一例であるボウル部側平歯車１３２とを備える。ボウル部１０３の回転軸１３１は取付部材３５を介して柄部１０５の固定軸１５２に回転（揺動）自在に取り付けられている。ボウル部側平歯車１３２及び取付部材３５は柄部１０５におけるボウル部１０３側に設けられている。これにより回転軸１３１を短くできる。
柄部１０５は、柄部側ギア歯の一例である柄部側平歯車１５１と、固定軸１５２とを筐体１５３内に備える。なお、固定軸１５２には取付部材３５が回転自在に取り付けられている。筐体１５３は固定軸１５２を固定するための固定壁５７を１個有している。なお、筐体１５３は、固定軸１５２を収容する空間を区画する区画壁１５５を有しているが、区画壁１５５を有しなくてもよい。
【００２４】
（２）ボウル部側ギア歯及び柄部側ギア歯
実施形態のボウル部側ギア歯３２と柄部側ギア歯５１は平歯車により構成されている。しかしながら、ボウル部側ギア歯と柄部側ギア歯は、両者の噛み合いにより、柄部が回転した際にボウル部が逆回転し、柄部が回転しない状態で柄部の姿勢を維持できるような構成であればよい。
例えば、ボウル部側ギア歯を平歯車により構成し、柄部側ギア歯を平歯車の一部により構成してもよい。ボウル部側ギア歯を平歯車の一部により構成し、柄部側ギア歯を平歯車により構成してもよい。ボウル部側ギア歯を平歯車の一部により構成し、柄部側ギア歯を平歯車の一部により構成してもよい。
また、ボウル部側ギア歯と柄部側ギア歯とは柄部の回転にしたがってボウル部側ギア歯が噛み合って回転（移動）すればよく、両者が、直接的に噛み合ってもよいし、他のギア（例えば、ヘベルギアや平歯車等である）を介して間接的に噛み合ってもよい。ボウル部側ギア歯と柄部側ギア歯の一方を内歯車のギア歯に、他方を外歯車のギア歯により構成してもよい(後述の変形例２参照）。なお、内歯車のギア歯を利用する場合、内歯車を利用してもよいし、内歯車の一部を利用してもよい。
【００２５】
３．ボウル部の軸（回転軸）
実施形態におけるボウル部３の軸３１は柄部５の長尺状の筐体５３（筒部５４）の中心軸から離れた位置に配されている。しかしながら、ボウル部の軸は筐体（筒部）の中心軸と一致する位置又は中心軸の近傍位置に配されてもよい。この場合、筐体の第１蓋部に設ける貫通孔を小さくできる。特に、ボウル体における第１蓋部の貫通孔を挿通する部分（実施形態では基部３４である）の形状を円形状とすることで、貫通孔の形状を挿通部分と同じ円形状にできる。これにより、貫通孔を挿通する部分と当該貫通孔との隙間を小さくでき、意匠性を高めることができる。
【００２６】
４．柄部側の軸（固定軸）
実施形態における柄部５の軸５２は筐体５３（筒部５４）の中心軸から離れた位置に配されている。しかしながら、柄部の軸は筐体（筒部）の中心軸と一致する位置又は中心軸の近傍位置に配されてもよい。この場合、柄部の回転をスムーズに軸に伝えることができる。
【００２７】
５．錘
実施形態では取付部材３５の第２辺３７がボウル体３０の姿勢を水平状態に維持するための錘として機能している。取付部材３５はボウル部３の回転軸３１を固定軸５２側に取り付ける機能も有しているが、錘機能だけを有する錘体を回転軸に取付けてもよい。また、取付部材３５に錘機能を設けずにボウル体３０に錘機能を持たせてもよいし、取付部材３５に錘機能を設けてさらにボウル体３０に錘機能を持たせてもよい。ボウル体３０に錘機能を設けるには、例えばボウル体の底部を厚くすることで実施できる。
【００２８】
６．変形例２
以下、ボウル部の（回転）軸が筐体の中心軸上に存在し、ボウル部側ギア歯を外周面に備える平外歯車で構成し、柄部側ギア歯を内周面に備える平内歯車の一部で構成した例を変形例２として図６を用いて説明する。なお、図６は図２におけるＢ−Ｂ断面に相当する断面を矢印側から見た図である。
【００２９】
変形例２に係るスプーン３０１はボウル部３０３と柄部３０５とを備える。
ボウル部３０３は、ボウル体３０と回転軸３３１とを一体に有し、回転軸３３１にボウル部側平外歯車３３２が固定されている。回転軸３３１は柄部３０５の筐体３５１の支持壁３５３に回転自在に支持されている。なお、回転軸３３１は上述のように筐体３５１の中心軸上に位置する。ここでは、支持壁３５３よりもボウル体３０側にボウル部側平外歯車３３２が存在する。
【００３０】
柄部３０５の筐体３５１は、筒部３５５、第１蓋部（図示省略）、第２蓋部（図示省略）を備え、筒部３５５における中間部位よりもボウル体３０側に支持壁３５３を有する。なお、支持壁３５３は回転軸３３１用の貫通孔を有する。
筐体３５１は回転軸３３１に取付けられたボウル部側平外歯車３３２と噛合する柄部側ギア歯として機能する柄部側平内歯車の一部３５７を有している。なお、図６において噛合するギア歯を「３５７ａ」で示す。
柄部側平内歯車の一部３５７は当該柄部側平内歯車の軸３５９を中心軸として回転自在に支持壁３５３に支持されている。柄部側平内歯車の一部３５７の下端部には錘体３６１が設けられている。
なお、軸３５９は、柄部側平内歯車の一部３５７に固定され且つ支持壁３５３に回転自在に支持されてもよいし、支持壁３５３に固定され且つ柄部側平内歯車の一部３５７に回転自在に支持（一部３５７の貫通孔に回転自在に挿入）されてもよい。
【００３１】
柄部側平内歯車の一部３５７は、錘体３６１が柄部側平内歯車の一部３５７の下端に位置するにように、回転自在に支持されている。これにより、柄部３０５が回転すると、錘体３６１によってその回転と反対方向に柄部側平内歯車の一部３５７が回転し、当該回転に伴ってボウル部側平内歯車が柄部３０５の回転方向と反対側に回転する。
なお、実施形態の柄部側ギア歯（柄部側平歯車５１）は柄部５に対して固定されていたが、変形例２の柄部側ギア歯（柄部側平内歯車の一部３５７）は柄部３０５に対して回転する点で大きく異なる。
【符号の説明】
【００３２】
１    飲食用具（スプーン）
３    飲食機能部（ボウル部）
５    柄部
３１    軸（回転軸）
３２    機能部側ギア歯（ボウル部側平歯車）
５１    柄部側ギア歯（柄部側平歯車）
５２    軸（固定軸）
【図１】
2018130369.tif 000003
【図２】
2018130369.tif 000004
【図３】
2018130369.tif 000005
【図４】
2018130369.tif 000006
【図５】
2018130369.tif 000007
【図６】
2018130369.tif 000008